(57)【特許請求の範囲】
【請求項１】
ダウンリンク制御チャネル・リソースを割り振る方法であって、
ユーザ機器ＵＥ特有の方式で拡張物理ダウンリンク制御チャネルｅＰＤＣＣＨ局所型伝送のためのリソース・エリアを割り振るステップと、
前記リソース・エリア内の各リソース割振り粒度で、前記ｅＰＤＣＣＨ局所型伝送のための多くとも１つのｅＰＤＣＣＨ候補を割り振るステップと
を含む方法。
【請求項２】
ＵＥ特有の探索空間の開始位置を示すように前記リソース・エリア内のＵＥ識別子ベースのオフセットを設定するステップ
をさらに含む請求項１に記載の方法。
【請求項３】
前記設定したオフセットに従ってアンカ候補を割り振るステップ
をさらに含む請求項２に記載の方法。
【請求項４】
前記割り振ったアンカ候補に基づいて他の候補を割り振るステップ
をさらに含む請求項３に記載の方法。
【請求項５】
準静的シグナリング・メッセージを介して前記リソース・エリアに関する情報を前記ＵＥに送るステップ
をさらに含む請求項１乃至４のいずれか１項に記載の方法。
【請求項６】
ダウンリンク制御チャネル・リソースを検出する方法であって、
リソース・エリアに関する情報を得るステップであって、前記リソース・エリアが、ユーザ機器ＵＥ特有の方式で拡張物理ダウンリンク制御チャネルｅＰＤＣＣＨ局所型伝送のために割り振られるステップと、
前記ｅＰＤＣＣＨ上で受信するために前記リソース・エリア内のｅＰＤＣＣＨ候補を検出するステップであって、前記リソース・エリア内の各リソース割振り粒度が、多くとも１つのｅＰＤＣＣＨ候補を含むステップと
を含む方法。
【請求項７】
ＵＥ特有の探索空間の開始位置を示すように前記リソース・エリア内のＵＥ識別子ベースのオフセットを求めるステップ
をさらに含む請求項６に記載の方法。
【請求項８】
前記求めたオフセットに従ってアンカ候補を検出するステップ
をさらに含む請求項７に記載の方法。
【請求項９】
前記検出したアンカ候補に基づいて他の候補を検出するステップ
をさらに含む請求項８に記載の方法。
【請求項１０】
ダウンリンク制御チャネル・リソースを割り振る装置であって、
ＵＥ特有の方式の方式で拡張物理ダウンリンク制御チャネルｅＰＤＣＣＨ局所型伝送のためのリソース・エリアを割り振るように構成されたリソース・エリア割振りモジュールと、
前記リソース・エリア内の各リソース割振り粒度で、前記ｅＰＤＣＣＨ局所型伝送のための多くとも１つのｅＰＤＣＣＨ候補を割り振る候補割振りモジュールと
を備える装置。
【請求項１１】
ＵＥ特有の探索空間の開始位置を示すように前記リソース・エリア内のＵＥ識別子ベースのオフセットを設定するように構成されたオフセット設定モジュール
をさらに備える請求項１０に記載の装置。
【請求項１２】
前記候補割振りモジュールが、前記設定したオフセットに従ってアンカ候補を割り振るようにさらに構成される請求項１１に記載の装置。
【請求項１３】
ダウンリンク制御チャネル・リソースを検出する装置であって、
リソース・エリアに関する情報を得るように構成されたリソース・エリア取得モジュールであって、前記リソース・エリアが、ユーザ機器ＵＥ特有の方式で拡張物理ダウンリンク制御チャネルｅＰＤＣＣＨ局所型伝送のために割り振られる、リソース・エリア取得モジュールと、
前記ｅＰＤＣＣＨ上で受信するための前記リソース・エリア内のｅＰＤＣＣＨ候補を検出するように構成された候補検出モジュールであって、前記リソース・エリア内の各リソース割振り粒度が、多くとも１つのｅＰＤＣＣＨ候補を含む候補検出モジュールと
を備える装置。
【請求項１４】
ＵＥ特有の探索空間の開始位置を示すように前記リソース・エリア内のＵＥ識別子ベースのオフセットを求めるように構成されたオフセット決定モジュール
をさらに備える請求項１３に記載の装置。
【請求項１５】
前記候補検出モジュールが、前記求めたオフセットに従ってアンカ候補を検出するようにさらに構成される請求項１４に記載の装置。
【発明の詳細な説明】
【技術分野】
【０００１】
本発明の実施形態は、通信の技術分野に関し、より詳細には、ダウンリンク制御チャネル・リソースの割振りおよび検出のための方法および装置に関する。
【背景技術】
【０００２】
物理ダウンリンク共有チャネル（ＰＤＳＣＨ）リソースを占有する拡張物理ダウンリンク制御チャネル（ｅＰＤＣＣＨ）が、３ＧＰＰ  Ｌｏｎｇ−Ｔｅｒｍ  Ｅｖｏｌｕｔｉｏｎ（ＬＴＥ）  Ｒｅｌｅａｓｅ  １１の技術標準で導入された。ＬＴＥでのダウンリンク制御チャネルは、ユーザ機器（ＵＥ）のダウンリンク制御情報（ＤＣＩ）メッセージを搬送することができる。これらのメッセージは、異なる時間周波数伝送リソースを使用して送信されることがあり、異なる量のリソースを使用することがある。
【０００３】
３ＧＰＰ  ＲＡＮ  １の仕様によれば、ｅＰＤＣＣＨは、２つのタイプの伝送、すなわち分散型伝送と局所型伝送をサポートする。分散型伝送により、ＵＥに割り振られたリソースが、システム帯域幅全体に拡散することができ、したがって周波数ダイバーシティ利得を達成することができる。局所型伝送により、より良好な周波数リソースを選択することができ、ＵＥにさらに割り振ることができ、したがってｅＰＤＣＣＨ局所型伝送の重要な目標である周波数選択的利得を達成することができる。ｅＰＤＣＣＨ局所型伝送を利用することにより、ＣＳＩフィードバックに基づいてプリコーディング利得も達成することができる。ＬＴＥでのレガシー物理ダウンリンク制御チャネル（ＰＤＣＣＨ）の基本リソース要素は、制御チャネル要素（ＣＣＥ）と呼ばれ、１つのＣＣＥは３６個のリソース要素（ＲＥ）を含む。ｅＰＤＣＣＨでは、拡張ＣＣＥ（ｅＣＣＥ）と呼ばれる類似のリソース要素も定義される。ｅＣＣＥのサイズは、ｅＰＤＣＣＨ伝送で使用される物理リソース・ブロック（ＰＲＢ）対で利用可能なＲＥ数と共に変化することがある。
【０００４】
ＰＤＣＣＨ伝送では、異なるＤＣＩメッセージに関するＣＣＥ量は、ＣＣＥの異なるアグリゲーション・レベル（例えば１、２、４、または８）に従って変化する。ＤＣＩメッセージを受信することを予期しているＵＥは、所与のサブフレームでＤＣＩメッセージがこのＵＥに送られたかどうかを確認するために、時間周波数リソースおよびアグリゲーション・レベルの所定の数の異なる組合せをチェックしなければならない。ＵＥがチェックしなければならない組合せのセットは、探索空間として知られている。探索空間では、ＤＣＩメッセージが存在するか否かを各ＵＥが判定するためにブラインド復号化が利用される。ＰＤＣＣＨに関する探索空間は、開始ＣＣＥ、アグリゲーション・レベル当たりの候補数、および受信すべき特定のＤＣＩフォーマット（ＤＣＩメッセージ当たりの情報ビット数）によって定義される。
【０００５】
単にＣＣＥの代わりにｅＣＣＥを使用することにより、ｅＰＤＣＣＨ分散型伝送のためにＰＤＣＣＨでのＤＣＩ受信手順を再利用することができる。しかし、ｅＰＤＣＣＨ局所型伝送では、局所型ＣＳＩに基づいて周波数選択的構成が実装され、インターリービングがサポートされないので、ＰＤＣＣＨの既存のＤＣＩ受信手順を再利用することができない。プリコーディングおよび透過ＤＣＩメッセージ伝送の適用など、新しい特徴に対処するには、拡張および修正が必要であり、特定の候補分散規則を定義すべきである。
【０００６】
これまでのところ、ｅＰＤＣＣＨ局所型伝送に関してＤＣＩメッセージのために使用されるｅＰＤＣＣＨ候補を割り振り、決定するための解決策はない。
【発明の概要】
【課題を解決するための手段】
【０００７】
従来技術の欠点に鑑みて、本発明の実施形態は、ダウンリンク制御チャネル・リソースの割振りおよび検出のための方法および装置を提供する。
【０００８】
本発明の第１の態様によれば、ダウンリンク制御チャネル・リソースを割り振る方法が提供される。この方法は、ＵＥ特有の方式（ＵＥ  ｓｐｅｃｉｆｉｃ  ｗａｙ）でｅＰＤＣＣＨ局所型伝送のためのリソース・エリアを割り振ること、およびリソース・エリア内の各リソース割振り粒度で、ｅＰＤＣＣＨ局所型伝送のための多くとも１つのｅＰＤＣＣＨ候補を割り振ることを含む。
【０００９】
本発明の第２の態様によれば、ダウンリンク制御チャネル・リソースを検出する方法が提供される。この方法は、リソース・エリアに関する情報を得ることであって、リソース・エリアが、ＵＥ特有の方式でｅＰＤＣＣＨ局所型伝送のために割り振られること、ｅＰＤＣＣＨ上の受信のためのリソース・エリア内のｅＰＤＣＣＨ候補を検出することであって、リソース・エリア内の各リソース割振り粒度が、多くとも１つのｅＰＤＣＣＨ候補を含むことを含む。
【００１０】
本発明の第３の態様によれば、ダウンリンク制御チャネル・リソースを割り振る装置が提供される。この装置は、ＵＥ特有の方式の方式でｅＰＤＣＣＨ局所型伝送のためのリソース・エリアを割り振るリソース・エリア割振りモジュールと、リソース・エリア内の各リソース割振り粒度で、ｅＰＤＣＣＨ局所型伝送のための多くとも１つのｅＰＤＣＣＨ候補を割り振る候補割振りモジュールとを備える。
【００１１】
本発明の第４の態様によれば、ダウンリンク制御チャネル・リソースを検出する装置が提供される。この装置は、リソース・エリアに関する情報を得るリソース・エリア取得モジュールであって、リソース・エリアが、ＵＥ特有の方式でｅＰＤＣＣＨ局所型伝送のために割り振られる、リソース・エリア取得モジュールと、ｅＰＤＣＣＨ上の受信のためのリソース・エリア内のｅＰＤＣＣＨ候補を検出する候補検出モジュールであって、リソース・エリア内の各リソース割振り粒度が、多くとも１つのｅＰＤＣＣＨ候補を含む候補検出モジュールとを備える。
【００１２】
各アグリゲーション・レベルのｅＰＤＣＣＨ候補を無線リソースに疎に分散させることにより、本発明の実施形態は、周波数領域にわたってある程度の無相関化を達成することができ、優れた周波数領域条件を有するように潜在的には見える無線リソースを選択するようにリソース割振りのための十分なオプションを提供することができる。その結果、より高い周波数選択的利得が望ましく、周波数スペクトル効率が改善される。
【００１３】
同一の参照番号が同一または類似の要素を表す各図を参照しながら、実施形態の詳細な説明から、本発明の上記および他の特徴がより明らかとなるであろう。
【図面の簡単な説明】
【００１４】
【図１】本発明の一実施形態による、合致するＤＣＩメッセージをＵＥによって導出する手順を概略的に示す図である。
【図２】本発明の一実施形態による、ダウンリンク制御チャネル・リソースを割り振る方法２００の流れ図である。
【図３】本発明の別の実施形態による、ダウンリンク制御チャネル・リソースを割り振る方法３００の流れ図である。
【図４】本発明の一実施形態による、ｅＰＤＣＣＨ局所型伝送でのリソース割振りの一例を示す図である。
【図５】本発明の一実施形態による、ダウンリンク制御チャネル・リソースを検出する方法５００の流れ図である。
【図６】本発明の別の実施形態による、ダウンリンク制御チャネル・リソースを検出する方法６００の流れ図である。
【図７】本発明の一実施形態による、ｅＰＤＣＣＨ局所型伝送でのＤＣＩ検出の完全な手順の一例を示す図である。
【図８】本発明の一実施形態による、ダウンリンク制御チャネル・リソースを割り振る装置８００のブロック図である。
【図９】本発明の一実施形態による、ダウンリンク制御チャネル・リソースを検出する装置９００のブロック図である。
【発明を実施するための形態】
【００１５】
図を参照しながら本発明の実施形態をより詳細に説明し、図示する。本発明の図および実施形態は例示のためのものに過ぎず、本発明の保護範囲を限定するものではないことを理解されたい。
【００１６】
各図の流れ図およびブロック図は、本発明の様々な実施形態によるシステム、方法、および装置の可能な実装のアーキテクチャ、機能、および動作を示す。この点で、流れ図またはブロック図中の各ブロックは、指定の論理機能（複数可）を実装する１つまたは複数の実行可能命令を含むコードのモジュール、セグメント、または部分を表すことがある。いくつかの代替実装では、ブロックで示した機能が、図示したのとは異なる順序で行われることがあることにも留意されたい。例えば、関係する機能に応じて、連続して示される２つのブロックが、実際にはほぼ同時に実行されることがあり、または時にはブロックが逆の順序で実行されることがある。ブロック図および／または流れ図の各ブロック、ブロック図および／または流れ図のブロックの組合せが、指定の機能または動作を実施する専用のハードウェア・ベースのシステム、または専用のハードウェアとコンピュータ命令の組合せで実装されることがある。
【００１７】
図を参照しながら、本発明の様々な実施形態を例として以下で詳細に説明する。
【００１８】
図１に、本発明の一実施形態による、合致するＤＣＩメッセージをＵＥによって導出する手順を概略的に示す。図１の最大のエリアは追跡エリアと呼ばれ、ＵＥのｅＰＤＣＣＨ伝送のために割り振られた潜在的な無線リソースを表す。その後で、ＵＥ識別子（ＩＤ）のオフセット値に従って、縮小されたエリアがＵＥ特有の探索空間として得られる。探索空間では、ＵＥは、ブラインド復号化を実施して、ＤＣＩメッセージのために構成されたリソースを検出する。次いで、ＵＥは、検出結果に基づいて、対応するダウンリンク・スケジューリング情報を読み出す。図１に示すすべてのエリアのそれぞれが、いくつかのＰＲＢ対を含み、各アグリゲーション・レベルの探索空間が、ＰＲＢ対のセットからなり、セット内のＰＲＢ対の数が構成可能である。図１に示す３つのＰＲＢ対は、単純な例に過ぎない。
【００１９】
以下では、本発明の実施形態による、ダウンリンク制御情報のためのリソース割振り方法の例に関して以下で説明を提示する。
【００２０】
図２に、本発明の一実施形態による、ダウンリンク制御チャネル・リソースを割り振る方法２００の流れ図を示し、方法２００は追加のステップを含むことがあり、かつ／または図示するステップが実行のために省略されることがある。
【００２１】
図２に示す方法２００が開始した後、ステップＳ２０１で、ｅＰＤＣＣＨ局所型伝送のためのリソース・エリアをＵＥ特有の方式で割り振る。いわゆる「ＵＥ特有の方式」とは、異なるＵＥに異なるリソース・エリアを割り振ることを指す。
【００２２】
ステップＳ２０２で、リソース・エリア内の各リソース割振り粒度でｅＰＤＣＣＨ局所型伝送のために多くとも１つのｅＰＤＣＣＨ候補を割り振る。
【００２３】
したがって、ダウンリンク制御チャネル・リソースが効率的に割り振られる。このようにして、割り振った周波数帯リソースでｅＰＤＣＣＨ候補を疎に分散させることができ、周波数選択的利得を最大にするようにｅＰＤＣＣＨ局所型伝送のための十分な周波数オプションを提供することができる。
【００２４】
以下の図３を参照しながら、ダウンリンク制御チャネル・リソースを割り振る方法の別の実施形態に関して例示を提示する。方法３００は、図２に関して上記で説明した方法２００の特定の実装とみなすことができる。
【００２５】
ステップＳ３０１で、ｅＰＤＣＣＨ局所型伝送のためのリソース・エリアをＵＥ特有の方式で割り振る。このステップは図２のステップＳ２０１に対応し、したがってその具体的な技術的詳細はここでは省略する。具体的には、一実施形態では、ステップＳ３０１で割り振るリソース・エリアは追跡エリアでよい。あるいは、リソース・エリアは、リソース割振りに関する粒度から構成された別のエリアでよい。ｅＰＤＣＣＨはＰＤＳＣＨリソース・エリア内に位置するので、ＰＤＳＣＨのためのリソース割振りの方式をｅＰＤＣＣＨのために再利用することができる。リソース割振り粒度は、利用可能な周波数帯またはＰＲＢ対に依存するサブバンド・サイズでよい。サブバンドは１つまたは複数のＰＲＢ対を含むことができる。
【００２６】
図４に、本発明の一実施形態による、ｅＰＤＣＣＨ局所型伝送ためのリソース割振りの一例を示す。単純のために、図４の例は例示のために単にサブバンドを使用するが、サブバンドに限定されることを意図するものではなく、他のリソース割振り粒度、例えばＰＲＢ対を使用することができる。
【００２７】
一実施形態では、ｅＰＤＣＣＨのために割り振るサブバンドのセットは、リソース割振りタイプに応じて、連続的または断続的でよい。１つのサブバンドは、ＤＣＩメッセージを搬送するのに使用することができる複数のｅＣＣＥからなる。
【００２８】
図３に戻ると、ステップＳ３０２で、リソース・エリア内の各リソース割振り粒度でｅＰＤＣＣＨ局所型伝送のために多くとも１つのｅＰＤＣＣＨ候補を割り振る。一実施形態では、ステップＳ３０２で、各アグリゲーション・レベルについて各リソース割振り粒度で多くとも１つのｅＰＤＣＣＨ候補を割り振り、したがって各アグリゲーション・レベルのｅＰＤＣＣＨ候補が、リソース割振りに関する異なる粒度に拡散し、周波数選択的利得が最大となる。
【００２９】
その後で、方法３００はステップＳ３０３に進み、追跡エリア内で、ＵＥ特有の探索空間の開始位置を示すようにＵＥ  ＩＤベースのオフセットを設定する。異なるアグリゲーション・レベルについて異なるオフセット値を適用することができ、値は、ｅＣＣＥの集合セット数に関するものである。集合セットのサイズは、アグリゲーション・レベルのレベル数に対応する。各アグリゲーション・レベルで、候補によって占有されるｅＣＣＥ数は、レベル数と同じである。図４に示すように、ｅＣＣＥの集合セットは、アグリゲーション・レベル１（ＡＬ−１）のただ１つのｅＣＣＥ、アグリゲーション・レベル２（ＡＬ−２）の２つのｅＣＣＥなどからなる。図４でアグリゲーション・レベルｎのオフセットを表すのに、変数Δｏｆｆｓｅｔ＿ｎ（ｎ＝１、２、４、８）が使用される。
【００３０】
ＵＥ  ＩＤベースのオフセットと共に、ＵＥがリソース探索を実施するエリア（例えば、探索空間）を一定のＵＥ専用にすることができる。ＵＥ  ＩＤベースのオフセットの導入により、ｅＰＤＣＣＨ構成のための十分な自由を与えるように、ｅＰＤＣＣＨのためのリソースが周波数領域でＵＥに対して構成可能にされる。
【００３１】
一実施形態では、ＵＥ  ＩＤに基づくハッシュ関数によって各アグリゲーション・レベルでのオフセット値を求めることができる。ハッシュ関数は、構成されるエリア内で十分な不規則性およびエルゴード性を与えることができる。しかし、本発明は、特定の関数に限定されず、任意の適切なハッシュ関数または他の適切な関数を使用することができる。
【００３２】
任意選択のステップＳ３０４で、設定したオフセットに従ってアンカ候補を割り振る。各ＵＥのアンカ候補は、各アグリゲーション・レベルで異なる数のサブバンドを占有することができ、異なる位置に配置することができる。一実施形態では、オフセット後の第１のサブバンドでアンカ候補を設定することができる。
【００３３】
次に、ステップＳ３０５で、割り振ったアンカ候補に従って他の候補を割り振る。一実施形態では、対応するリソース割振り粒度でのすべての他の候補の位置は、アンカ候補と同じである。一実施形態では、候補と復調基準信号（ＤＭＲＳ）構成との間のバンドリング関係を設定することができる。例えば、候補の無線リソースが、アンテナ・ポートならびにスクランブリング・シーケンスと共にバンドルされる。このようにして、ＵＥによって候補を検出する操作を簡略化することができ、それと共にアグリゲーション・レベル当たりのすべての候補が同一のＤＭＲＳ構成を共有することができ、それにより、対応する情報をＵＥに通知するのに必要なシステム・オーバヘッドが低減される。
【００３４】
ステップＳ３０６で、準静的シグナリング・メッセージを介してリソース・エリアに関する情報をＵＥに送り、その結果、割り振ったリソース・エリアをＵＥに通知することができ、リソース割振りを準静的にだけ変更することができる。一実施形態では、準静的シグナリングは無線リソース制御（ＲＲＣ）シグナリングである。
【００３５】
各アグリゲーション・レベルの候補を異なるサブバンドに対して拡散し、ＵＥ  ＩＤベースのオフセット値を設定することにより、候補数を追跡エリアのリソース割振りによって構成することができ、潜在的ｅＰＤＣＣＨエリアが準静的シグナリング（例えば、ＲＲＣシグナリング）によって構成されるときであっても、リソース割振りの柔軟性を維持することができる。したがって、最大ブラインド復号化数が構成可能となり、それにより、候補割振りに関してより高い柔軟性が与えられる。
【００３６】
本発明の実施形態による、ダウンリンク制御チャネル・リソースを検出する方法の一例に関して、以下で説明を提示する。
【００３７】
図５に、本発明の一実施形態による、ダウンリンク制御チャネル・リソースを検出する方法５００の流れ図を示す。
【００３８】
ステップＳ５０１で、リソース・エリアに関する情報を得て、ｅＰＤＣＣＨ局所型伝送のためにリソース・エリアをＵＥ特有の方式で割り振る。
【００３９】
ステップＳ５０２で、ｅＰＤＣＣＨ上で受信するためにリソース・エリア内のｅＰＤＣＣＨ候補を検出し、リソース・エリア内の各リソース割振り粒度は、多くとも１つのｅＰＤＣＣＨ候補を含む。
【００４０】
図６を参照しながら、ダウンリンク制御チャネル・リソースを検出する方法の別の実施形態に関して例示を提示する。方法６００は、図５に関して上記で説明した方法５００の特定の実装とみなすことができる。
【００４１】
ステップＳ６０１で、リソース・エリアに関する情報を得て、ｅＰＤＣＣＨ局所型伝送のためにリソース・エリアをＵＥ特有の方式で割り振る。一実施形態では、リソース・エリアに関する情報は、受信した準静的シグナリング（例えば、ＲＲＣシグナリング）メッセージから得られる。
【００４２】
ステップＳ６０２で、ｅＰＤＣＣＨ上で受信するためにリソース・エリア内のｅＰＤＣＣＨ候補を検出し、リソース・エリア内の各リソース割振り粒度は、多くとも１つのｅＰＤＣＣＨ候補を含む。
【００４３】
その後で、方法６００はステップＳ６０３に進み、ＵＥ特有の探索空間の開始位置を示すためにリソース・エリア内のＵＥ  ＩＤベースのオフセットを求める。
【００４４】
次いで、任意選択のステップＳ６０４で、求めたオフセットに従ってアンカ候補を検出する。
【００４５】
次に、ステップＳ６０５で、検出したアンカ候補い従って他の候補を検出する。
【００４６】
本発明の実施形態によれば、ダウンリンク制御チャネル・リソースを割り振る方法２００および３００で説明した様々な実施形態は、ダウンリンク制御チャネル・リソースを検出する方法５００および６００にも適用可能である。具体的な詳細はここでは省略する。
【００４７】
図７に、本発明の一実施形態による、ｅＰＤＣＣＨ局所型伝送のためのＤＣＩ検出の完全な手順の一例を示し、アグリゲーション・レベル１を一例として取り、サブバンドが１つのＰＲＢ対を含むと仮定する。
【００４８】
この例から、各リソース割振り粒度で多くとも１つの候補を割り振る原理、ＵＥ  ＩＤベースのオフセット値、およびアンカ候補の構成に従って、すべての候補を得ることができ、さらに、合致したＤＣＩをブラインド復号化によって得ることができることがはっきりと理解することができる。
【００４９】
空間多重化伝送（例えば、マルチユーザＭＩＭＯ、ＭＵ−ＭＩＭＯ）がｅＰＤＣＣＨによってサポートされる場合、ブラインド復号化の総数を複数の空間層の間で分割できることに留意されたい。本発明は、ブラインド復号化の具体的な方式に限定されず、異なるブラインド復号化を使用することができる。
【００５０】
本発明の実施形態で提案されるｅＰＤＣＣＨリソースの割振りおよび検出のための方法は、レガシーＰＤＣＣＨを超えるｅＰＤＣＣＨのより大きな容量需要を満たすことができ、周波数選択的利得を効率的に使用することができ、ｅＰＤＣＣＨ局所型伝送のためのリソース割振りに関する十分な柔軟性を実現することができる。
【００５１】
方法２００および３００は一般にネットワーク側で実行され、方法５００および６００は一般に端末側で実行されることを理解されたい。さらに、方法２００、３００、５００、および６００は追加のステップを含むことができ、かつ／または図示するステップが実行のために省略されることがある。本発明の範囲はこの点で限定されない。
【００５２】
次に図８および９を参照すると、方法２００、３００、５００、および６００を実行することのできる装置に関して例示を提示し、図８は、本発明の一実施形態による、ダウンリンク制御チャネル・リソースを割り振る装置８００のブロック図を示し、図９は、本発明の一実施形態による、ダウンリンク制御チャネル・リソースを検出する装置９００のブロック図を示す。
【００５３】
図８に示す装置８００は、リソース・エリア割振りモジュール８０１および候補割振りモジュール８０２を備え、リソース・エリア割振りモジュールが、ＵＥ特有の方式でｅＰＤＣＣＨ局所型伝送のためのリソース・エリアを割り振るように構成される。候補割振りモジュール８０２が、リソース・エリア内の各リソース割振り粒度でｅＰＤＣＣＨ局所型伝送のための多くとも１つのｅＰＤＣＣＨ候補を割り振るように構成される。
【００５４】
一実施形態では、装置８００は、ＵＥ特有の探索空間の開始位置を示すためにリソース・エリア内のＵＥ  ＩＤベースのオフセットを設定するように構成されたオフセット設定モジュール８０３をさらに備える。
【００５５】
一実施形態では、候補割振りモジュール８０２が、設定したオフセットに従ってアンカ候補を割り振るようにさらに構成される。
【００５６】
一実施形態では、候補割振りモジュール８０２が、割り振ったアンカ候補に基づいて他の候補を割り振るようにさらに構成される。
【００５７】
一実施形態では、リソース・エリア割振りモジュール８０１が、準静的シグナリング・メッセージを介してリソース・エリアに関する情報をＵＥに送るようにさらに構成される。
【００５８】
図９に示す装置９００は、リソース・エリア取得モジュール９０１および候補検出モジュール９０２を備え、リソース・エリア取得モジュール９０１は、リソース・エリアに関する情報を得るように構成され、リソース・エリアが、ＵＥ特有の方式でｅＰＤＣＣＨ局所型伝送のために割り振られる。候補検出モジュール９０２は、ｅＰＤＣＣＨ上で受信するためのリソース・エリア内のｅＰＤＣＣＨ候補を検出するように構成され、リソース・エリア内の各リソース割振り粒度が、多くとも１つのｅＰＤＣＣＨ候補を含む。
【００５９】
一実施形態では、装置９００は、ＵＥ特有の探索空間の開始位置を示すためにリソース・エリア内のＵＥ  ＩＤベースのオフセットを求めるように構成されたオフセット決定モジュール９０３をさらに備える。
【００６０】
一実施形態では、候補検出モジュール９０２が、求めたオフセットに従ってアンカ候補を検出するようにさらに構成される。
【００６１】
一実施形態では、候補検出モジュール９０２が、検出したアンカ候補に基づいて他の候補を検出するようにさらに構成される。
【００６２】
一実施形態では、リソース・エリア取得モジュール９０１が、受信した準静的シグナリング・メッセージからリソース・エリアに関する情報を得るようにさらに構成される。
【００６３】
装置８００内の各モジュールが、図２を参照しながら説明した方法２００および図３を参照しながら説明した方法３００の各ステップに対応し、装置９００内の各モジュールが、図５を参照しながら説明した方法５００および図６を参照しながら説明した方法６００の各ステップに対応することを理解されよう。したがって、図２、３、５、および６を参照しながら上記で説明した動作および特徴は、装置８００、９００と、その中に含まれるここでは詳述しないモジュールにも適用可能である。
【００６４】
通常は、ネットワーク要素、例えば基地局で装置８００を実装することができ、端末、例えばＵＥで装置９００を実装できることをさらに理解されよう。本発明の実施形態では、基地局は、マクロ基地局、マイクロ基地局、ホーム基地局、または中継基地局などでよい。ＵＥは、携帯電話、デジタル携帯情報端末（ＰＤＡ）、ポータブル・コンピュータなどの様々なタイプの端末でよい。
【００６５】
装置８００および９００は様々な形態で実装することができる。例えば、いくつかの実施形態では、装置８００および９００は、ソフトウェアおよび／またはファームウェア・モジュールを使用して実装することができる。さらに、装置８００および９００は、ハードウェア・モジュールを使用して実装することができる。現在知られている、または将来開発される他の形態も実現可能である。本発明の範囲はこの点で限定されない。
【００６６】
本発明で開示される方法をソフトウェア、ハードウェア、またはソフトウェアとハードウェアの組合せで実装することができることが説明される。ハードウェア部分は、専用ロジックを使用して実装することができ、ソフトウェア部分をメモリに格納し、マイクロプロセッサ、パーソナル・コンピュータ（ＰＣ）、メインフレーム・コンピュータなどの適切な命令実行システムで実行することができる。いくつかの実施形態では、本発明は、限定はしないが、ファームウェア、常駐ソフトウェア、マイクロコードなどを含むソフトウェアとして実装される。
【００６７】
さらに、本発明の実施形態は、コンピュータまたは任意の命令実行システムで使用され、またはそれらと共に使用されるプログラム・コードを提供するコンピュータ使用可能媒体またはコンピュータ可読媒体からアクセス可能なコンピュータ・プログラム製品の形態で実装することができる。説明のために、コンピュータ使用可能媒体またはコンピュータ可読媒体は、命令実行システム、機器、または装置で使用され、またはそれらと共に使用されるプログラムを含み、格納し、通信し、伝播し、または移送することのできる任意の有形モジュールでよい。
【００６８】
媒体は、電子、磁気、光学、電磁、赤外線、または半導体システム（機器または装置）、あるいは伝播媒体でよい。コンピュータ可読媒体の例は、半導体または固体記憶装置、磁気テープ、ポータブル・コンピュータ・ディスケット、ランダム・アクセス・メモリ（ＲＡＭ）、読取り専用メモリ（ＲＯＭ）、ハード・ディスク、および光ディスクを含む。現在の光ディスクの例は、コンパクト・ディスク読取り専用メモリ（ＣＤ−ＲＯＭ）、コンパクト・ディスク読込み／書込み（ＣＲ−ＲＯＭ）、およびＤＶＤを含む。
【００６９】
当業者には周知であり、本発明の実装にとって不可欠であることのあるいくつかのより具体的な技術的詳細は、本発明をより容易に理解するために上記の説明では省略する。網羅的であることや、開示した形態に本発明を限定することを意図するわけではなく、例示および説明のために本発明の仕様を提示した。当業者にとって多くの修正および変形が可能であろう。
【００７０】
したがって、本発明の原理および実際的な応用を最良に説明するため、および本発明の精神から逸脱することなく行われるすべての修正および変形が添付の特許請求の範囲で定義される本発明の保護範囲内に包含されることを当業者が理解することを可能にするために実施形態を選び、説明する。
【図１】
0006022033.tif 000002
【図２】
0006022033.tif 000003
【図３】
0006022033.tif 000004
【図４】
0006022033.tif 000005
【図５】
0006022033.tif 000006
【図６】
0006022033.tif 000007
【図７】
0006022033.tif 000008
【図８】
0006022033.tif 000009
【図９】
0006022033.tif 000010